(57)【要約】【課題】全長に及んで動物の保護と装飾が図れるようにする。【解決手段】両端部１ａ、１ｂを接続、接続解除できる接続具２を持った首輪本体１と、この首輪本体１よりも広幅で首輪本体１を外面に添わせて長手方向一部を通し保持する装飾帯３とを備え、少なくとも首輪本体１および装飾帯３の両端側の各端部対１ａ、３ａと端部１ｂ、３ｂとの少なくとも一方の端部どうしは互いにフリーな関係にあるようにして、上記の目的を達成する。【選択図】  図１
2004283145.tif 000002
【特許請求の範囲】
【請求項１】
両端部を接続、接続解除できる接続具を持った首輪本体と、この首輪本体よりも広幅で首輪本体を外面に添わせて長手方向一部を通し保持する装飾帯とを備え、首輪本体および装飾帯の両端側の各端部対の少なくとも一方の端部どうしは互いにフリーな関係にあることを特徴とする首輪。
【請求項２】
装飾帯の保持部は、開閉部を有している請求項１に記載の首輪。
【請求項３】
装飾帯は、首輪本体に対し異形である請求項１、２のいずれか１項に記載の首輪。
【請求項４】
装飾帯は、端部間を打ち合わせ状態に接続し合う面ファスナを有している請求項３に記載の首輪。
【請求項５】
装飾帯は、少なくとも裏面がウレタン繊維生地またはウレタン繊維混紡生地である請求項１〜４のいずれか１項に記載の首輪。
【発明の詳細な説明】
【０００１】
【産業上の利用分野】
本発明は動物の首輪に関し、詳しくは、二重構造を有した動物の首輪に関するものである。
【０００２】
【従来の技術】
動物の首輪で動物の保護や装飾を目的として二重構造にしたものが既に知られている（例えば、特許文献１〜４参照。）。特許文献１、２に記載のものは、内側ベルトとこの内側ベルトの表に縫い付けられた表側ベルトとから構成された二重構造を有し、両端間の接続、接続解除の構造とその機能は、内側ベルトおよび外側ベルト双方が共有している。内側ベルトは摩擦や静電気発生の軽減を図り、クッション性を与えて動物を保護する。特許文献３に記載のものは、革製で両端間の接続、接続解除を図る接続部を有したベルト本体と、このベルト本体を通してその途中部分を覆う筒形状をした保護部材とで構成している。保護部材はナイロン製で動物に対してよりもベルト本体との摩擦係数が小さいことによって、保護部材は移動せず、ベルト本体が保護部材の中を良好に滑動できるようにする。これによって、ベルト本体と動物との摩擦を軽減することができる。特許文献４に記載のものは、両端に接続、接続解除を行なう接続具を持った首環の途中の表面に装飾布を面ファスナーにて着脱できるように装着し、種々な装飾が図れるようにしている。
【０００３】
【特許文献１】
実開昭５６−９３１７０号公報
【０００４】
【特許文献２】
実用新案登録第３０６２７４６号公報
【０００５】
【特許文献３】
特開平１０−４２７３８号公報
【０００６】
【特許文献４】
実開昭６４−２０１７８号公報
【０００７】
【発明が解決しようとする課題】
しかし、上記特許文献１、２に記載のものは、内側ベルトにより動物保護の保護機能を付加しているが、内側ベルトは外側ベルトと１つのベルトを構成しているだけで、接続部は動物に接して擦れる。特許文献３に記載のものはベルト本体の途中に筒状の保護部材を被せているだけで、ベルト本体が接続部とその両側が露出したままで、この露出部分での保護が図れない。特許文献４に記載のものは首環の途中の表面に装飾布を面ファスナで取り付けただけで、動物に対する保護機能はなく、装飾も首環全長に及べないものである。
【０００８】
本発明の目的は、全長に及んで動物の保護と装飾が図れる首輪を提供することにある。
【０００９】
【課題を解決するための手段】
上記のような目的を達成するために、本発明の首輪は、両端を接続、接続解除できる接続具を持った首輪本体と、この首輪本体よりも広幅で首輪本体を外面に添わせて長手方向一部を通し保持する装飾帯とを備え、首輪本体および装飾帯の両端側の各端部対の少なくとも一方の端部どうしは互いにフリーな関係にあることを特徴としている。
【００１０】
このような構成では、装飾帯はその外面に首輪本体を長手方向の一部で保持しながら、首輪本体の端部とフリーな関係にある一方の端部を、他の端部に打ち合わせることにより、首輪本体の内側で首輪本体に邪魔されないで動物の首の全周に巻き付けることができ、動物を首輪本体のどの部分との接触および摩擦をも断って完全に保護することができる。首輪本体は接続具の種類にかかわらず、装飾帯の端部とフリーな関係にある端部によって装飾帯の端部どうしの打ち合わせ部の上に位置し首輪本体の端部どうしを接続することができる。首輪本体よりも広幅な装飾帯は自身の打ち合わせ部を持った特異な外観にて首輪本体の全周で首輪本体からはみ出して外観されるので、首輪本体と異なった装飾性を発揮する。
【００１１】
装飾帯の保持部が、開閉部を有している、さらなる構成では、
首輪本体が保持部に通すのに引っかかりのある凹凸形態を有したものであっても、保持部の開閉によって、首輪本体を通したり引きぬいたりすることなしに簡単に着脱することができ、各種の首輪本体と組み合わせて保持し使用することができるし、装飾帯と首輪本体とを単独で洗浄するようなこともできる。
【００１２】
装飾帯が、首輪本体に対し異形である、さらなる構成では、
装飾帯が首輪本体に対し異形である分だけ、目立って特異な装飾性を発揮することができるし、大きく張り出した部分を反射面として夜間の交通の安全を図ることもできる。また、動物の保護に目的を置いた形態、例えば動物の首周りにフィットし、首輪本体の移動によってもずれたり滑ったりしにくい形態が採れる。
【００１３】
装飾帯が、端部間を打ち合わせ状態に接続し合う面ファスナを有している、さらなる構成では、
首輪本体の内側での装飾帯端部どうしが形成する打ち合わせ状態を面ファスナの接続によって安定させられ、首輪本体の移動の影響で乱れるようなことを防止することができる。
【００１４】
装飾帯の少なくとも裏面がウレタン繊維生地またはウレタン繊維混紡生地である、さらなる構成では、
装飾帯が移動して擦れるようなことがあっても、その擦れ面がウレタン繊維生地またはウレタン繊維混紡生地であることにより、動物の毛傷みや毛切れを防止することができる。
【００１５】
本発明のそれ以上の目的および特徴は、以下の詳細な説明および図面の記載によって明らかになる。本発明の各特徴は、それ単独で、あるいは可能な限りにおいて種々な組合せで複合して採用することができる。
【００１６】
【実施例】
本発明に係る首輪の実施例について図１〜図６を参照しながら詳細に説明し、本発明の理解に供する。以下の説明は本発明の具体例であって、特許請求の範囲の記載の内容を限定するものではない。
【００１７】
本実施例の首輪は図１、図３、図４に示すように、両端部１ａ、１ｂを接続、接続解除できる接続具２を持った首輪本体１と、この首輪本体１よりも広幅で首輪本体１を外面に添わせて長手方向一部を通し保持する装飾帯３とを備えている。装飾帯３はその両端部３ａ、３ｂが首輪本体１の両端部１ａ、１ｂにほぼ対応するか少しはみ出す長さを有し、首輪本体１および装飾帯３の両端で重なる各端部対１ａ、３ａどうし、１ｂ、３ｂどうしの少なくとも一方の端部どうしは互いにフリーな関係にあるようにしている。図示する例では装飾帯３の首輪本体１を図４に示すように通して保持する保持部４は図１、図３に示すように長手方向の途中２箇所に設けてある。これによって、首輪本体１および装飾帯３の端部１ａ、３ａどうし、端部１ｂ、３ｂどうしのいずれもそれに対応する側の保持部４に至るまでの間で互いにフリーな関係にあるようにしている。
【００１８】
このような装飾帯３はその外面に首輪本体１を長手方向の一部で保持しながら、首輪本体１の端部１ａや１ｂとフリーな関係にある一方の端部３ａや３ｂを、他の端部に図５に示すように打ち合わせることにより、首輪本体１の内側で首輪本体１に邪魔されないで犬などの動物の首の全周に図５、図６に示すように巻き付けることができる。これによって装飾帯３は、動物を首輪本体１のどの部分との接触および摩擦をも断って完全に保護することができる。首輪本体１は接続具２の種類にかかわらず、装飾帯３の端部とフリーな関係にある端部３ａや３ｂによって装飾帯３の端部３ａ、３ｂどうしの打ち合わせ部５の上に位置して、首輪本体１の端部１ａ、１ｂどうしを図５に示すように接続することができる。首輪本体１よりも広幅な装飾帯３は自身の打ち合わせ部５を持った特異な外観にて首輪本体１の全周で首輪本体１から図６に示すようにはみ出して外観されるので、首輪本体１と異なった装飾性を発揮する。
【００１９】
首輪本体１はどのような材質、構造のものでもよい。図示する例の首輪本体１は雌雄接続具２ａ、２ｂを両端１ａ、１ｂに振り分け取り付けた接続具２を採用している。この雌雄嵌め合わせの接続具２は長さ調節機能がないので、首輪本体１に編み生地や組紐タイプの柔軟な素材を採用し、雄接続具２ｂ部で折り返した２つ折り部１ｃにて長さ調節できるようにしてある。このため折り返し端１ｄを、首輪本体１の途中を２つの孔に通している滑り止め具６の前記２つの孔間の柱部に取り付け、この滑り止め具６を首輪本体１上で移動させて長さを調節するようにしている。接続具２がこれに対応する端部側の長手方向複数箇所に選択的に止め合わせたりするような長さ調節ができるタイプのものであれば、首輪本体１自体には長さ調節部を持つ必要はない。また、首輪本体１はその雌接続具２ａの側に引き紐連結用の連結環８を取り付けてある。
【００２０】
装飾帯３は首輪本体１との２重構造であること以外に、色や模様の違い、素材の違い、構造や形の違いによって特異な装飾性を発揮することができる。図示する例では、織生地を採用し縁に装飾帯３の本体生地と色の違う織生地によるパイピング部７を設けてある。特に、装飾帯３を首輪本体に対し異形としてある。これにより、装飾帯３が首輪本体１に対し異形である分だけ、目立って特異な装飾性を発揮することができるし、大きく張り出した部分を反射面として夜間の交通の安全を図ることもできる。また、動物の保護に目的を置いた形態、例えば動物の首周りにフィットし、首輪本体１の移動によってもずれたり滑ったりしにくい形態が採れる。図示する例では、図１、図２に示すように装飾帯３の左右に２つある保持部４の間の一縁側に、二等辺三角形状に張り出した張り出し部１２を有し、特異な装飾部や反射面とするのに有効である。また、装飾帯３は首輪本体１よりも広幅であるだけ動物との間の滑りを抑えられるし、前記張り出し部１２はそれによる滑り止め機能に加え、犬などの動物の首まわりでの当たりによって回り止め片としても機能するので、首輪本体１が動物の引き回しに際して装飾帯３上で回ったり偏った方向への引張りを受けても、装飾帯３はよく静止して動物との間で擦れが生じるようなことを確実に防止することができる。
【００２１】
保持部４は装飾帯３に設けた穴やスリットによっても形成することはできる。しかし、図示する例では装飾帯３の途中二箇所にてその一縁側から他縁側にわたって設けた保持片１３によって形成してあり、一縁側ではパイピング部７と共通した逢着部１７にて止着してあり、他縁側では図４に示すような面ファスナ１４にて着脱できるように止着する開閉部１５としてある。面ファスナ１４はフィラメントによるフックを密植したものを必須とし、これに対面する装飾帯３の面が前記フックと引っ掛かり合う毛羽立ちやループパイルなどを持っているときは、それとの間で止着し、そうでない場合は毛羽立ちないしはループパイルを持ったものと組み合わせて使用する。開閉部１５はどのように形成してもよいが、面ファスナ１４であれば簡単に開閉できる上、閉じ状態の保持強度も充分に得られる。このように装飾帯３の保持部４が、開閉部１５を有していることにより、首輪本体１が保持部４に通すのに引っかかりのある凹凸形態を有したものであっても、保持部４の開閉部１５における開閉、つまり面ファスナ１４による接続、接続解除によって、首輪本体１を通したり引きぬいたりすることなしに簡単に着脱することができる。従って、各種の首輪本体１と組み合わせて保持し使用することができるし、装飾帯３と首輪本体１とを単独で洗浄するようなこともできる。
【００２２】
また、装飾帯３は端部３ａ、３ｂ間を図５に示すような打ち合わせ状態に接続し合う図１、図５に示すような面ファスナ１６を有している。これにより、首輪本体１の内側での装飾帯３の端部３ａ、３ｂどうしが形成する打ち合わせ状態を面ファスナ１６の接続によって安定させられ、首輪本体１の移動の影響で乱れるようなことを防止することができる。この面ファスナ１６も前述のもの同様に、フックを持ったものを必須とし、必要に応じて毛羽立ちやループパイルを持ったものと組合せ使用する。
【００２３】
さらに、装飾帯３の少なくとも裏面がウレタン繊維生地またはウレタン繊維混紡生地としてあることにより、装飾帯３が移動して擦れるようなことがあっても、その擦れ面がウレタン繊維生地またはウレタン繊維混紡生地であることにより、動物の毛傷みや毛切れを防止することができる。
【００２４】
また、場合によってウレタン繊維生地またはウレタン繊維混紡生地の外側にスポンジ類のクッション材を張り合わせ、またはスポンジ類をウレタン繊維生地またはウレタン繊維混紡生地によってサンドイッチにした構造のものを採用すると、引き回し時の外力を動物に強く働くのを緩和する保護も図れる。
【００２５】
【発明の効果】
本発明の首輪によれば、装飾帯はその外面に首輪本体を長手方向の一部で保持しながら、首輪本体の端部とフリーな関係にある端部を、他の端部に打ち合わせることにより、首輪本体の内側で首輪本体に邪魔されないで動物の首の全周に巻き付けることができ、動物を首輪本体のどの部分との接触および摩擦をも断って完全に保護することができる。首輪本体は接続具の種類にかかわらず、装飾帯の端部とフリーな関係にある端部によって装飾帯の端部どうしの打ち合わせ部の上に位置し首輪本体の端部どうしを接続することができる。首輪本体よりも広幅な装飾帯は自身の打ち合わせ部を持った特異な外観にて首輪本体の全周で首輪本体からはみ出して外観されるので、首輪本体と異なった装飾性を発揮する。
【００２６】
装飾帯の保持部が、開閉部を有している、さらなる構成によれば、首輪本体が保持部に通すのに引っかかりのある凹凸形態を有したものであっても、保持部の開閉によって、首輪本体を通したり引きぬいたりすることなしに簡単に着脱することができ、各種の首輪本体と組み合わせて保持し使用することができるし、装飾帯と首輪本体とを単独で洗浄するようなこともできる。
【００２７】
装飾帯が、首輪本体に対し異形である、さらなる構成によれば、装飾帯が首輪本体に対し異形である分だけ、目立って特異な装飾性を発揮することができるし、大きく張り出した部分を反射面として夜間の交通の安全を図ることもできる。また、動物の保護に目的を置いた形態、例えば動物の首周りにフィットし、首輪本体の移動によってもずれたり滑ったりしにくい形態が採れる。
【００２８】
装飾帯が、端部間を打ち合わせ状態に接続し合う面ファスナを有している、さらなる構成によれば、首輪本体の内側での装飾帯端部どうしが形成する打ち合わせ状態を面ファスナの接続によって安定させられ、首輪本体の移動の影響で乱れるようなことを防止することができる。
【００２９】
装飾帯の少なくとも裏面がウレタン繊維生地またはウレタン繊維混紡生地である、さらなる構成によれば、装飾帯が移動して擦れるようなことがあっても、その擦れ面がウレタン繊維生地またはウレタン繊維混紡生地であることにより、動物の毛傷みや毛切れを防止することができる。
【図面の簡単な説明】
【図１】本発明に係る実施例の首輪の１つの例を示す平面図である。
【図２】図１の首輪の背面図である。
【図３】図１の首輪の側面図である。
【図４】図１の首輪の装飾帯による首輪本体の保持部を示す断面図である。
【図５】図１の首輪の端部環の接続状態を示す側面図である。
【図６】図１の首輪の装着状態を示す斜視図である。
【符号の説明】
１  首輪本体
２  接続具
３  装飾帯
１ａ、１ｂ、３ａ、３ｂ  端部
４  保持部
５  打ち合わせ部
【図１】
2004283145.tif 000003
【図２】
2004283145.tif 000004
【図３】
2004283145.tif 000005
【図４】
2004283145.tif 000006
【図５】
2004283145.tif 000007
【図６】
2004283145.tif 000008